(57)【特許請求の範囲】
【請求項１】
水の透過部を備える透過型砂防ダムにおいて、上部及び下部が開放された箱状体からなる複数のブロックと、前記ブロックの側面に設けられる鋼管と、上下に積み重ねられた前記ブロック内に充填されたコンクリートとからなり、前記ブロックは係合部材を備え、前記係合部材によって係合されつつ、前記鋼管にガイドされて所定の高さに積み重ねられた前記複数のブロックと前記コンクリートとによってコンクリート躯体が構成され、このように構成された複数体のコンクリート躯体が、互いに略平行に配設されていることを特徴とする透過型砂防ダム。
【請求項２】
前記鋼管が複数存在し、これらは互いに上下に積み重ねられていることを特徴とする請求項１記載の透過型砂防ダム。
【請求項３】
水の透過部を備える透過型砂防ダムにおいて、上部及び下部が開放された箱状体からなる複数のブロックと、上下に積み重ねられた前記ブロック内に充填されたコンクリートとからなり、前記ブロックは係合部材を備え、前記係合部材によって係合されて所定の高さに積み重ねられた前記複数のブロックと前記コンクリートとによってコンクリート躯体が構成され、このように構成された複数体のコンクリート躯体が、互いに略平行に配設されている透過型砂防ダムであって、
前記ブロックは、所定間隔をあけて互いに略平行に配された２枚の鋼板製のパネルと、前記パネルの面上に設けられた前記係合部材と、前記２枚のパネルの内側に前記係合部材を位置させて前記２枚のパネルを連結するための骨組材と、このように連結された前記２枚のパネルの側面を塞ぐために前記側面に配された鋼管とにより構成されており、前記係合部材の上端は、前記２枚のパネルの上端から所定距離下方に下がった位置に配され、前記係合部材の下端は、前記２枚のパネルの下端から所定距離下方に突出して配され、上側に配された前記ブロックの前記係合部材の下端と、下側に配された前記ブロックの前記係合部材の上端とが当接して前記ブロックが上下に積み重ねられることを特徴とする透過型砂防ダム。
【請求項４】
前記ブロックが上下に積み重ねられるとともに左右に並べて配され、このように上下及び左右に配された前記ブロック内にコンクリートが充填されて前記コンクリート躯体が構成されている請求項１、２又は３記載の透過型砂防ダム。
【請求項５】
前記ブロック内に補強部材を組入れてなる請求項１、２、３又は４記載の透過型砂防ダム。
【請求項６】
前記パネルの側面が傾斜している場合において、当該パネルの傾斜している側面には、前記傾斜している側面を塞ぐための鋼板が、前記鋼管の替わりに配されている請求項１、２、３、４又は５記載の透過型砂防ダム。
【発明の詳細な説明】
【０００１】
【発明の属する技術分野】
この発明は、水や土石流等の流れと平行な方向に水の透過部（水通し部）が櫛状に配されている透過型砂防ダムに関し、詳しくは、簡便な現場組立、短期施工及び良好な施工により簡易施工を実現することができる透過型砂防ダムに関するものである。
【０００２】
【従来の技術】
透過型砂防ダムは、大洪水や土石流を阻止し、平常時および中小洪水時には土砂を下流側に流下させて、計画的にダムの空容量を確保し、且つ、自然の摂理に合致する等、土砂を流下させない不透過型ダムには無い利点を有している。
【０００３】
【発明が解決しようとする課題】
透過型砂防ダムの水通し部は、従来、鋼管を主体にしたトラス又はラーメン構造とするか、あるいは、コンクリート（鉄筋）造りのポスト又はバットレス構造等によって構築されている。
【０００４】
このような従来の透過型砂防ダムの施工は、下記▲１▼や▲２▼の方法により実施されている。
▲１▼  現場で鉄筋（くし型ダム）を組んで、コンクリートを打設する。
▲２▼  外板内にコンクリートを打設する。
【０００５】
しかしながら、上記は現場施工で実施する場合に時間と手間がかかる問題がある。
【０００６】
従って、この発明の目的は、現場施工においても、短期間で効率良く構築することができる透過型砂防ダムを提供することにある。
【０００７】
【課題を解決するための手段】
請求項１記載の発明は、水の透過部を備える透過型砂防ダムにおいて、上部及び下部が開放された箱状体からなる複数のブロックと、上下に積み重ねられた前記ブロック内に充填されたコンクリートとからなり、前記ブロックは係合部材を備え、前記係合部材によって係合されて所定の高さに積み重ねられた前記複数のブロックと前記コンクリートとによってコンクリート躯体が構成され、このように構成された複数体のコンクリート躯体が、互いに略平行に配設されていることに特徴を有するものである。
【０００８】
請求項２記載の発明は、前記ブロックが上下に積み重ねられるとともに左右に並べて配され、このように上下及び左右に配された前記ブロック内にコンクリートが充填されて前記コンクリート躯体が構成されていることに特徴を有するものである。
【０００９】
請求項３記載の発明は、前記ブロック内に補強部材を組入れてなることに特徴を有するものである。補強部材は、例えば、鉄筋かご、Ｈ形鋼等の鉄骨である。
【００１０】
請求項４記載の発明は、前記ブロックは、所定間隔をあけて互いに略平行に配された２枚の鋼板製のパネルと、前記パネルの面上に設けられた前記係合部材と、前記２枚のパネルの内側に前記係合部材を位置させて前記２枚のパネルを連結するための骨組材と、このように連結された前記２枚のパネルの側面を塞ぐために前記側面に配された鋼管とにより構成されており、前記係合部材の上端は、前記２枚のパネルの上端から所定距離下方に下がった位置に配され、前記係合部材の下端は、前記２枚のパネルの下端から所定距離下方に突出して配され、上側に配された前記ブロックの前記係合部材の下端と、下側に配された前記ブロックの前記係合部材の上端とが当接して前記ブロックが上下に積み重ねられることに特徴を有するものである。
【００１１】
請求項５記載の発明は、前記パネルの傾斜している側面に、前記傾斜している側面を塞ぐための鋼板が、前記鋼管の替わりに配されていることに特徴を有するものである。
【００１２】
【発明の実施の形態】
次に、この発明の実施の形態を図面を参照しながら説明する。
【００１３】
図１〜２１は、この発明の実施の形態に係る図面であり、図１は、この発明の透過型砂防ダムの上流側を示す斜視図、図２は、下流側を示す斜視図、図３は、鉛直の側面を有するコンクリート躯体を示す斜視図、図４は、傾斜している側面を有するコンクリート躯体を示す斜視図、図５は、パネルを示す斜視図、図６は、パネルを示す平面図、図７は、図５のＡ−Ａ線断面図、図８は、ブロックを示す平面図、図９は、図８のＢ−Ｂ線断面図、図１０は、上下のブロックの結合を示す説明図、図１１は、左右のブロックの結合を示す平面図、図１２は、鋼管の配置状況を示す説明図、図１３は、鋼管配置の他の例を示す説明図、図１４は、コンクリート躯体の組立を示す説明図、図１５は、図１４の平面図、図１６の（１）は、コンクリート躯体内に鉄筋かごを組入れた場合の平面図、（２）は、（１）のＣ−Ｃ線断面図、図１７は、上流側の側面が鉛直、下流側の側面が傾斜のコンクリート躯体を示す正面図、図１８は、図１７の平面図、図１９は、上流側及び下流側が傾斜のコンクリート躯体を示す正面図、図２０は、図１９の平面図、図２１は、傾斜している側面を示す斜視図である。
【００１４】
この発明の透過型砂防ダムＡは、複数の水の透過部（スリット部）を備え、図１、図２では４体のコンクリート躯体１が、互いに平行に、配設されている。
【００１５】
コンクリート躯体１は、上下に積み重ねられ及び左右に配された、複数のブロック２と、ブロック２内に充填されたコンクリートとにより打設されて構成されている（図１４〜２１）。
【００１６】
図５〜９に示すように、所定間隔をあけて互いに平行に配された２枚のパネル３は、溝形鋼（骨組材）６によって連結されている。パネル３の面上の左右両側の端部には、凹の字状の断面を有する溝形鋼（係合部材）４が、鉛直方向に固着されて配設されている。溝形鋼４は、２枚のパネル３の内側において互いに凹の字の底面が対峙するように配置されている。更に、溝形鋼４は、その上端４ａがパネル３の上端よりも所定距離下方に下がり、一方、その下端４ｂは、パネル３の下端から前記所定距離下方に突出している（図５、図７、図９参照）。
【００１７】
パネル３の面上には、３つの山形鋼５が水平に配設されている。山形鋼５の先端部は、上方に直角に折れ曲がっている。ブロック２の補強材を兼ねたアンカーとして前記の山形鋼５やＨ形鋼を設けることにより、コンクリートの密着性が向上する。
【００１８】
このようにパネル３、溝形鋼４、６及び山形鋼５によって形成されたブロック２の上部及び下部は開放されている。ブロック２の側面も開放されている。開放されている側面は、鋼管７によって塞がれる。すなわち、図１２に示すように、ブロック２（パネル３）の側面の全長にわたりブロック側のガイド８及び鋼管側のガイド９が設けられ、鋼管側ガイド９にガイドされて配置された鋼管７によってブロック２の側面が塞がれる。図１３は、他の例であり、ブロック側のガイド８、８間にわたり設けられたＴの字状の鋼管側のガイド１０が設けられ、鋼管７が配置される。このように、ブロック２は、両側面を鋼管７によって塞がれる。ブロック２の側面を塞ぐ鋼管７は、図１２、図１３に示されるような円形断面のものに限られない。角型断面の鋼管等でもよい。
【００１９】
また、ブロック２を左右に３つ以上並べたときは、鋼管７によって側面を塞ぐのは、両側に位置したブロック２の側面のみでもよい。すなわち、中央のブロック２の側面は塞がなくてもよい（図１４、図１５参照）。
【００２０】
また、図３に示すコンクリート躯体１は、上流側及び下流側の両側の側面が鉛直の形状のものであるが、図１７、図４に示すように、上流側及び下流側のうちの一方側の側面が傾斜、他方側が鉛直のもの、あるいは、図１９に示すように、両側の側面とも傾斜している形状のものもある。ブロック２の側面が傾斜している場合には、図２１に示すように、鋼管７を用いず、鋼板１１によって塞ぐ。
【００２１】
かくして、２枚のパネル３と、溝形鋼（係合部材）４と、山形鋼５と、溝形鋼（骨組材）６と、鋼管７や鋼板１１とによって、箱状体のブロック２が構成される。コンクリートは、開放されているブロック２の上部から充填される。
【００２２】
上下に配されたブロック２同士の結合は、図１０に示すように、上側に配されたブロック２のパネル３の下方に突出している溝形鋼４の下端４ｂを、その下側に配されたブロック２の中に挿入し、下側の溝形鋼４の上端４ａに当接し、しかる後に、ボルト等の締結具（図示せず）を用いて上下のブロック２を結合する。
【００２３】
左右に配されたブロック２同士の結合は、図１１に示すように、フラットバー１２を配置し鋼管７を配置せずに左右のブロック２同士をボルト結合する。ただし、図１７〜２０に示すように、鋼管７を配置して左右のブロック２を結合してもかまわない。
【００２４】
【実施例】
次に、図１４、図１５に示すように、上流側及び下流側の両側の側面が鉛直になっているコンクリート躯体１を組立てる実施例を説明する。
【００２５】
図１４、図１５中の符号（１）〜（１１）は、組立て工程を示す下記の符号（１）〜（１１）と一致する。なお、ブロック同士を結合するボルト締結等の工程の説明は省いた。
【００２６】
まず、基礎コンクリート１３上に、コンクリート躯体の両側面、すなわち、ダムの上流側及び下流側の位置に、鋼管７｛符号（１）｝を鉛直方向に配置する。
【００２７】
次いで、一番下部のブロック２｛符号（２）｝を配する。ブロック２の数は左右に２つとした。鋼管７｛符号（１）｝によってブロック２｛符号（２）｝の両側面が塞がれる。
【００２８】
次いで、ブロック２｛符号（２）｝内に、コンクリート１４を充填して打設する。
【００２９】
次いで。ブロック２｛符号（２）｝上に、ブロック２｛符号（３）｝を配する。鋼管７｛符号（１）｝によってブロック２｛符号（３）｝の両側面が塞がれる。
【００３０】
次いで、ブロック２｛符号（３）｝内に、コンクリート１４を充填して打設する。
【００３１】
次いで、鋼管７｛符号（１）｝内に、コンクリート１４を充填して打設する。
【００３２】
次いで、同様の要領で、ブロック２｛符号（４）｝及び鋼管７｛符号（５）｝を配する。
【００３３】
次いで、ブロック２｛符号（４）｝にコンクリート１４を充填して打設する。
【００３４】
以下、図１４、図１５に示す符号（５）〜（１１）の順序で、ブロック２、鋼管７を配し、コンクリート１４を打設する。
【００３５】
以上により、ブロック２｛符号（２）〜（１１）｝、鋼管７｛符号（１）、（５）、（９）｝及びコンクリート１４からなるコンクリート躯体１が構築される。
【００３６】
なお、コンクリート躯体７は、鉄筋かご１５をブロック２内に入れて一般的な鉄筋コンクリート構造とするか｛図１６（１）、（２）｝、あるいは、鉄筋コンクリート構造とするか（図示せず）、あるいは、鉄筋コンクリート構造（図示せず）とするべくブロック２内に所要の鋼材（補強部材）を合わせてセットする場合や、コンクリートをスチールファイバー等と混合してコンクリート自体の強度を高める場合もある。
【００３７】
【発明の効果】
以上説明したように、この発明によれば、以下に示す有用な効果がもたらされる。
▲１▼  パネル、形鋼及び鋼管や鋼板等の鋼材により構成される鋼製ブロックを用い、鋼製ブロックは事前に工場製作が可能であり、現場での組立が簡便であり短期施工が可能である。
▲２▼  鋼製ブロックの組立とコンクリート打設により一体化する構築法からなり、現場での施工性が良好である。
▲３▼  鋼材とコンクリートとの複合型構造（ハイブリット構造）であり、従来のコンクリート透過形砂防ダムと同等の強度及び安定性を備える。
▲４▼  従来のコンクリート透過形砂防ダムと同等あるいはそれ以上の経済性を備える。
【図面の簡単な説明】
【図１】この発明の実施の形態に係る透過型砂防ダムの上流側を示す斜視図である。
【図２】この発明の実施の形態に係る透過型砂防ダムの下流側を示す斜視図である。
【図３】この発明の実施の形態に係る鉛直の側面を有するコンクリート躯体を示す斜視図である。
【図４】この発明の実施の形態に係る傾斜している側面を有するコンクリート躯体を示す斜視図である。
【図５】この発明の実施の形態に係るパネルを示す斜視図である。
【図６】この発明の実施の形態に係るパネルを示す平面図である。
【図７】図５のＡ−Ａ線断面図である。
【図８】この発明の実施の形態に係るブロックを示す平面図である。
【図９】図８のＢ−Ｂ線断面図である。
【図１０】この発明の実施の形態に係る上下のブロックの結合を示す説明図である。
【図１１】この発明の実施の形態に係る左右のブロックの結合を示す平面図である。
【図１２】この発明の実施の形態に係る鋼管の配置状況を示す説明図である。
【図１３】この発明の実施の形態に係る鋼管の配置状況の他の例を示す説明図である。
【図１４】この発明の実施例に係るコンクリート躯体の組立を示す説明図である。
【図１５】図１４の平面図である。
【図１６】（１）は、この発明の実施の形態に係るコンクリート躯体内に鉄筋かごを組入れた場合の平面図、（２）は、（１）のＣ−Ｃ線断面図である。
【図１７】この発明の実施の形態に係る上流側の側面が鉛直、下流側の側面が傾斜のコンクリート躯体を示す正面図である。
【図１８】図１７の平面図である。
【図１９】この発明の実施の形態に係る上流側及び下流側が傾斜のコンクリート躯体を示す正面図である。
【図２０】図１９の平面図である。
【図２１】この発明の実施の形態に係る傾斜している側面を示す斜視図である。
【符号の説明】
Ａ  透過型砂防ダム
１  コンクリート躯体
２  ブロック
３  パネル
４  溝形鋼（係合部材）
４ａ  上端
４ｂ  下端
５  山形鋼
６  溝形鋼（骨組材）
７  鋼管
８  ブロック側のガイド
９  鋼管側のガイド
１０  鋼管側のガイド
１１  鋼板
１２  フラットバー
１３  基礎コンクリート
１４  打設コンクリート
１５  鉄筋かご
【図１】
0004441145.tif 000002
【図２】
0004441145.tif 000003
【図３】
0004441145.tif 000004
【図４】
0004441145.tif 000005
【図５】
0004441145.tif 000006
【図６】
0004441145.tif 000007
【図７】
0004441145.tif 000008
【図８】
0004441145.tif 000009
【図９】
0004441145.tif 000010
【図１０】
0004441145.tif 000011
【図１１】
0004441145.tif 000012
【図１２】
0004441145.tif 000013
【図１３】
0004441145.tif 000014
【図１４】
0004441145.tif 000015
【図１５】
0004441145.tif 000016
【図１６】
0004441145.tif 000017
【図１７】
0004441145.tif 000018
【図１８】
0004441145.tif 000019
【図１９】
0004441145.tif 000020
【図２０】
0004441145.tif 000021
【図２１】
0004441145.tif 000022